(57)【要約】パケットの容量は低下するが、ＲＳ（２５５，１９１）の短縮化誤り訂正符号で生成されるパリティ符号を、ＴＳパケットのアダプテーションフィールドのプライベートデータフィールドに挿入する。このアダプテーションフィールド内で、パリティ符号を挿入する場所は２箇所利用可能である。１つ目は、アダプテーションフィールドレングスフィールドから間接的に長さがわかる「スタッフィングバイト」フィールドであり、２つ目は、トランスポートプライベートデータレングスフィールドで直接長さの記述が可能な「トランスポートプライベートデータ」フィールドである。
2005067191.tif 000002
【特許請求の範囲】
【請求項１】
携帯端末向け放送システムにおける誤り訂正方法であって、
自トランスポートストリームパケット（ＴＳパケット）の誤り訂正符号を、ＴＳパケット内のアダプテーションフィールドに格納することを特徴とする誤り訂正方法。
【請求項２】
前記誤り訂正符号を格納する位置は、アダプテーション内のスタッフィングバイトフィールドであることを特徴とする請求項１に記載の誤り訂正方法。
【請求項３】
前記誤り訂正符号を格納する位置は、アダプテーション内のトランスポートプライベートデータフィールドであることを特徴とする請求項１に記載の誤り訂正方法。
【請求項４】
携帯端末向け放送システムにおけるザッピングストリームの誤り訂正方法であって、
ザッピングストリームの自トランスポートストリームパケット（ＴＳパケット）の誤り訂正符号を、ＴＳパケット内のアダプテーションフィールドに格納することを特徴とする誤り訂正方法。
【請求項５】
前記誤り訂正符号を格納する位置は、アダプテーション内のスタッフィングバイトフィールドであることを特徴とする請求項１に記載の誤り訂正方法。
【請求項６】
前記誤り訂正符号を格納する位置は、アダプテーション内のトランスポートプライベートデータフィールドであることを特徴とする請求項１に記載の誤り訂正方法。
【発明の詳細な説明】
【技術分野】  本発明は、携帯端末向けデジタル放送（ＤＶＢ−Ｈ（Ｄｉｇｉｔａｌ  Ｖｉｄｅｏ  Ｂｒｏａｄｃａｓｔｉｎｇ−Ｈａｎｄｈｅｌｄ））に関し、より特定的には、チャンネル・フェージング、キャリヤ干渉およびその他の物理的問題など、モバイル環境の悪送信条件での問題解決するための誤り訂正機構に関する。
【背景技術】  ＤＶＢ−Ｈの携帯受信端末は、バーストで伝送されるトランスポートストリームのＤＶＢ−Ｈオーディオ／ビデオサービスを受信する。例えば、２、３秒のオーディオ／ビデオ内容が、０．５秒未満のバーストの中で送信される。このバーストによる伝送は、レシーバの省電力化に非常に有効である。受信機では、所望のサービスが伝送されているバースト送信期間のみ、受信部の電源供給を行うことで、相当な量のバッテリー消費電力を節約する。
しかしながら、この方式では、ユーザーが、同じ伝達チャンネルの中で、あるいは異なる伝達チャンネルの中でザッピングをしようとする場合、レシーバは、選択したサービスを受信して再生するためには、該当サービスが伝送される次のバーストを待つ必要がある。例えば５秒周期でバーストが伝送される場合、選択サービスが再生開始されて画像や音声が表示されるまで、平均約２．５秒、最大５秒かかる。省電力化のために９秒を越えるバースト周期が使用される場合もある。
したがって、ザッピング時の速度は家庭でテレビ等のチャンネル切り替えと比較して、非常に遅い。
特願２００３−３７０５５０号に記載されるようなザッピングストリームの技術は、ザッピング速度を著しく改善する。バーストに加えて、オーディオ／ビデオサービスの連続の低レートデータストリーム（以降ザッピングストリームと呼ぶ）を導入する。図３の様に、ザッピングストリームは、トランスポートストリームに多重化される。
ザッピングストリームは、同じトランスポートストリーム内のＤＶＢ−Ｈサービスに関する情報を非常に低いデータレートを使って伝送する。例えば、映像音声コンテンツ、静止画、サービスに関連するテキスト情報あるいは、前述のものの組合せなどである。
連続送信されるザッピングストリームを受信することで、ユーザーは、選択されたサービスのバーストが受信され表示される前に、選択されたサービスの内容を、見たり、聞いたり、読んだりすることが出来る。従って、ユーザーは、選択したサービスを受信するか別のサービスを受信するかを速やかに決定することが出来る。
ザッピングストリームの送信、受信はＤＶＢ−Ｈサービスを受信するだけなら省略可能である。
ザッピングストリームは、同じＤＶＢ−Ｈサービスに対する、複数種類の異なる形式のコンテンツ（例えば静止画のザッピングストリームと、テキストのザッピングストリーム）を伝送することも出来る。
【発明の開示】
ザッピングストリームは関連するＤＶＢ−Ｈサービスと同程度の誤り耐性が必要である。伝送品質の悪いチャンネルでは、特に、低いデータレートの音声などでは重要である。ＤＶＢ−Ｈサービスは、ＭＰＥ−ＦＥＣと呼ばれる、エラー保護メカニズムで保護されている。ザッピングストリームは、ザッピングの高速化を目的としたストリームである性質上、高速なアクセス・タイム、およびコンパチビリティを確保するため、ＤＶＢＨサービスとは異なり、ＭＰＥ−ＦＥＣフレームに含まれておらず、ＭＰＥ−ＦＥＣを利用しない。
従って、誤り訂正機構は、トランスポートストリーム用のＭＰＥＧ仕様（ＭＰＥＧ２  Ｓｙｓｔｅｍｓ  Ｓｐｅｃｉｆｉｃａｔｉｏｎ）に互換性をもつものでなければならない。
本発明は、トランスポートレイヤに追加の誤り訂正機構を導入することでザッピングストリームのエラー耐性を高める。
本発明は、携帯端末向け放送システムにおける誤り訂正方法（方式）であって、
自トランスポートストリームパケット（ＴＳパケット）の誤り訂正符号を、ＴＳパケット内のアダプテーションフィールドに格納することを特徴とする誤り訂正方法を提供する。
本発明の一実施態様において、前記誤り訂正符号を格納する位置は、アダプテーション内のスタッフィングバイトフィールドである。
本発明の一実施態様において、前記誤り訂正符号を格納する位置は、アダプテーション内のトランスポートプライベートデータフィールドである。
本発明は、携帯端末向け放送システムにおけるザッピングストリームの誤り訂正方法（方式）であって、
ザッピングストリームの自トランスポートストリームパケット（ＴＳパケット）の誤り訂正符号を、ＴＳパケット内のアダプテーションフィールドに格納することを特徴とする誤り訂正方法を提供する。
本発明の一実施態様において、前記誤り訂正符号を格納する位置は、アダプテーション内のスタッフィングバイトフィールドであることを特徴とする。
本発明の一実施態様において、前記誤り訂正符号を格納する位置は、アダプテーション内のトランスポートプライベートデータフィールドであることを特徴とする。
本発明はまた、上述の方法を行う送信装置、および上述の方法を実行するためのプログラム、およびそれを記録する記録媒体を包含する。
パケットの容量は低下するが、ＲＳ（２５５，１９１）の短縮化誤り訂正符号で生成されるパリティ符号を、ＴＳパケットのアダプテーションフィールドに挿入する。
これにより、現在のＤＶＢ−Ｔチャンネルデコーダ標準のＲＳ（２５５，２３９）デコーダが、訂正できなかった誤りも、これらの誤り訂正符号は自分のＴＳパケットの誤りを訂正するために使用できる。また、品質の悪い伝送路では、ＴＳパケットのＰＩＤが正しいとは限らないので、ＲＳ（２５５，２３９）デコーダは８つ以上の誤りがあったＴＳパケットすべての訂正を試みる。ＲＳ（２５５，１９１）デコーダは、ＭＰＥ−ＦＥＣに対応したＤＶＢＨレシーバでは実装されており、本発明のザッピングストリーム用追加誤り訂正機構のために利用可能である。
なお、１８８バイトのＴＳパケット長は変化なく、ＴＳパケットの中にＲＳ誤り訂正符号を挿入するためＴＳパケットのペイロード長は減少する。
本発明によれば、特別な復号モジュールの追加なしに、ザッピングストリームの高速なアクセス・タイムおよびコンパチビリティを保ったまま誤り耐性を向上することができる。
また、バースト受信時、一時的な受信条件悪化により、バーストが失われた場合、受信機では数秒間映像を再生できなくなるが、その後すぐに回復した場合、静止画をザッピングストリームで伝送していることで、次のバースト受信までの間を、ブラックアウトの画面やフリーズした画像でなく、関連する静止画を表示することができる。
【図面の簡単な説明】  図１は、本発明の第１の実施形態におけるトランスポートパケットの構造を説明する図である。
図２は、本発明の第１の実施形態におけるアダプテーションフィールドの構造およびパリティ符号の挿入位置を示す図である。
図３は、本発明の従来の実施例を説明する図である。
【発明を実施するための最良の形態】  以下、本発明の実施の形態を、図面を参照しながら説明する。本発明は、以下の各実施の形態および図面を用いて説明するが、これは例示を目的としており、本発明はこれらに限定されることを意図しない。
（実施の形態１）
地上デジタルビデオ放送（ＤＶＢ−Ｔ）の情報はすべてトランスポートストリーム（ＴＳ）内で伝送される。各トランスポートストリームは、１８８バイトの長さのパケットから成る。
（図１を参照のこと）。これらのパケットは、４バイトのパケットヘッダーには、ペイロード、あるいは、アダプテーションフィールドと呼び出される追加のフィールドが続く。アダプテーションフィールドが挿入されるかどうかはＴＳパケットのヘッダーの中で示される。アダプテーションフィールドの挿入に関する利用可能な形式は次の３つである。
１．  アダプテーションフィールドなし（ペイロードのみ）。
２．  アダプテーションフィールドのみ（ペイロードはない）。
３．  アダプテーションフィールドの後にペイロードが後続する。
本発明では、３の「アダプテーションフィールドの後にペイロードが後続する。」形式を使用する。アダプテーションフィールドは可変長で、その長さの情報はフィールドそれ自身内に記述される。したがって、アダプテーションフィールドへの任意の長さのバイト列を挿入可能である。
ザッピングストリーム内で、誤り訂正のためのアダプテーションフィールドの使用やその中でのスタッフィングバイトの使用は、他のサービスに影響を与えない。
これは、すべてのＤＶＢ−ＨサービスのＴＳパケットは、ユニークなＰＩＤが付与されるためである。ＰＩＤはＴＳパケットヘッダ内にある全てのサービス毎にユニークなパケット識別番号で、すべてのＴＳパケットは、そのＴＳパケット・ヘッダー中にＰＩＤが付けられている（図１を参照のこと）。
アダプテーションフィールドを利用することで他のサービスなどにいかなる影響があってはならないが、アダプテーションフィールドのプライベートデータフィールドの記述は現行ＭＰＥＧ−ＳＹＳＴＥＭＳの仕様にないため、ＤＶＢＨＴＳパケットは、アダプテーションフィールド内で上記のフィールドを使用することによって妨害することはない。
図２は、アダプテーションフィールドの構造と、追加の誤り訂正符号を挿入する位置を示す図である。
アダプテーションフィールド内で、追加の誤り訂正符号を挿入する位置は２箇所利用可能である。１つ目は、アダプテーションフィールドレングスフィールドから間接的に長さがわかる「スタッフィングバイト」フィールドであり、２つ目は、トランスポートプライベートデータレングスフィールドで直接長さの記述が可能な「トランスポートプライベートデータ」フィールドである。
送信装置は、ザッピングストリームを伝送するすべてのＴＳパケットにあらかじめ、トランスポートプライベートデータフィールドに固定長の領域確保用バイトを挿入する。
その領域を確保した完全なＴＳパケットから、たとえばＲＳ（２５５，１９１）の短縮化誤り訂正符号を算出し、算出したパリティ符号をアダプテーションフィールド内の領域確保用バイト位置に格納する。
レシーバ側では、格納されたパリティ符号をＴＳ内の一定量以下の誤り訂正に使用する。訂正可能な誤りの量は、使用される誤り訂正符号の量で決まる。
ない、この誤り訂正符号を利用できない受信機はこのバイトを破棄すればよい。
産業上の利用の可能性
本発明の誤り訂正方式は、ＤＶＢ−Ｈのザッピングストリームの誤り耐性強化に有用である。
【図１】
2005067191.tif 000003
【図２】
2005067191.tif 000004
【図３】
2005067191.tif 000005
【手続補正書】
【提出日】平成18年7月4日(2006.7.4)
【手続補正１】
【補正対象書類名】特許請求の範囲
【補正対象項目名】全文
【補正方法】変更
【補正の内容】
【特許請求の範囲】
【請求項１】
携帯端末向け放送システムにおける誤り訂正方法であって、
自トランスポートストリームパケット（ＴＳパケット）の誤り訂正符号を、ＴＳパケット内のアダプテーションフィールドに格納することを特徴とする誤り訂正方法。
【請求項２】
前記誤り訂正符号を格納する位置は、アダプテーション内のスタッフィングバイトフィールドであることを特徴とする請求項１に記載の誤り訂正方法。
【請求項３】
前記誤り訂正符号を格納する位置は、アダプテーション内のトランスポートプライベートデータフィールドであることを特徴とする請求項１に記載の誤り訂正方法。
【請求項４】
携帯端末向け放送システムにおけるザッピングストリームの誤り訂正方法であって、
ザッピングストリームの自トランスポートストリームパケット（ＴＳパケット）の誤り訂正符号を、ＴＳパケット内のアダプテーションフィールドに格納することを特徴とする誤り訂正方法。
【請求項５】
前記誤り訂正符号を格納する位置は、アダプテーション内のスタッフィングバイトフィールドであることを特徴とする請求項４に記載の誤り訂正方法。
【請求項６】
前記誤り訂正符号を格納する位置は、アダプテーション内のトランスポートプライベートデータフィールドであることを特徴とする請求項４に記載の誤り訂正方法。
【手続補正２】
【補正対象書類名】明細書
【補正対象項目名】全文
【補正方法】変更
【補正の内容】
【発明の詳細な説明】
【技術分野】
【０００１】
本発明は、携帯端末向けデジタル放送（ＤＶＢ−Ｈ（Digital Video Broadcasting  Handheld））に関し、より特定的には、チャンネル・フェージング、キャリヤ干渉およびその他の物理的問題など、モバイル環境の悪送信条件での問題解決するための誤り訂正機構に関する。
【背景技術】
【０００２】
ＤＶＢ−Ｈの携帯受信端末は、バーストで伝送されるトランスポートストリームのＤＶＢ−Ｈオーディオ／ビデオサービスを受信する。例えば、２、３秒のオーディオ／ビデオ内容が、０．５秒未満のバーストの中で送信される。このバーストによる伝送は、レシーバの省電力化に非常に有効である。受信機では、所望のサービスが伝送されているバースト送信期間のみ、受信部の電源供給を行うことで、相当な量のバッテリー消費電力を節約する。
【０００３】
しかしながら、この方式では、ユーザーが、同じ伝達チャンネルの中で、あるいは異なる伝達チャンネルの中でザッピングをしようとする場合、レシーバは、選択したサービスを受信して再生するためには、該当サービスが伝送される次のバーストを待つ必要がある。例えば５秒周期でバーストが伝送される場合、選択サービスが再生開始されて画像や音声が表示されるまで、平均約２．５秒、最大５秒かかる。省電力化のために９秒を越えるバースト周期が使用される場合もある。
【０００４】
したがって、ザッピング時の速度は家庭でテレビ等のチャンネル切り替えと比較して、非常に遅い。
【０００５】
特願２００３−３７０５５０号に記載されるようなザッピングストリームの技術は、ザッピング速度を著しく改善する。バーストに加えて、オーディオ／ビデオサービスの連続の低レートデータストリーム（以降ザッピングストリームと呼ぶ）を導入する。図３の様に、ザッピングストリームは、トランスポートストリームに多重化される。 
【０００６】
ザッピングストリームは、同じトランスポートストリーム内のＤＶＢ−Ｈサービスに関する情報を非常に低いデータレートを使って伝送する。例えば、映像音声コンテンツ、静止画、サービスに関連するテキスト情報あるいは、前述のものの組合せなどである。
【０００７】
連続送信されるザッピングストリームを受信することで、ユーザーは、選択されたサービスのバーストが受信され表示される前に、選択されたサービスの内容を、見たり、聞いたり、読んだりすることが出来る。従って、ユーザーは、選択したサービスを受信するか別のサービスを受信するかを速やかに決定することが出来る。
【０００８】
ザッピングストリームの送信、受信はＤＶＢ−Ｈサービスを受信するだけなら省略可能である。
【０００９】
ザッピングストリームは、同じＤＶＢ−Ｈサービスに対する、複数種類の異なる形式のコンテンツ（例えば静止画のザッピングストリームと、テキストのザッピングストリーム）を伝送することも出来る。
【発明の開示】
【発明が解決しようとする課題】
【００１０】
ザッピングストリームは関連するＤＶＢ−Ｈサービスと同程度の誤り耐性が必要である。伝送品質の悪いチャンネルでは、特に、低いデータレートの音声などでは重要である。ＤＶＢ−Ｈサービスは、ＭＰＥ−ＦＥＣと呼ばれる、エラー保護メカニズムで保護されている。ザッピングストリームは、ザッピングの高速化を目的としたストリームである性質上、高速なアクセス・タイム、およびコンパチビリティを確保するため、ＤＶＢＨサービスとは異なり、ＭＰＥ−ＦＥＣフレームに含まれておらず、ＭＰＥ−ＦＥＣを利用しない。
【００１１】
従って、誤り訂正機構は、トランスポートストリーム用のＭＰＥＧ仕様(MPEG２Systems  Specification)に互換性をもつものでなければならない。
【課題を解決するための手段】
【００１２】
本発明は、トランスポートレイヤに追加の誤り訂正機構を導入することでザッピングストリームのエラー耐性を高める。
【００１３】
本発明は、携帯端末向け放送システムにおける誤り訂正方法（方式）であって、
自トランスポートストリームパケット（ＴＳパケット）の誤り訂正符号を、ＴＳパケット内のアダプテーションフィールドに格納することを特徴とする誤り訂正方法を提供する。
【００１４】
本発明の一実施態様において、前記誤り訂正符号を格納する位置は、アダプテーション内のスタッフィングバイトフィールドである。
【００１５】
本発明の一実施態様において、前記誤り訂正符号を格納する位置は、アダプテーション内のトランスポートプライベートデータフィールドである。
【００１６】
本発明は、携帯端末向け放送システムにおけるザッピングストリームの誤り訂正方法（方式）であって、
ザッピングストリームの自トランスポートストリームパケット（ＴＳパケット）の誤り訂正符号を、ＴＳパケット内のアダプテーションフィールドに格納することを特徴とする誤り訂正方法を提供する。
【００１７】
本発明の一実施態様において、前記誤り訂正符号を格納する位置は、アダプテーション内のスタッフィングバイトフィールドであることを特徴とする。
【００１８】
本発明の一実施態様において、前記誤り訂正符号を格納する位置は、アダプテーション内のトランスポートプライベートデータフィールドであることを特徴とする。
【００１９】
本発明はまた、上述の方法を行う送信装置、および上述の方法を実行するためのプログラム、およびそれを記録する記録媒体を包含する。
【００２０】
パケットの容量は低下するが、ＲＳ(255,191) の短縮化誤り訂正符号で生成されるパリティ符号を、ＴＳパケットのアダプテーションフィールドに挿入する。
【００２１】
これにより、現在のＤＶＢ−Ｔチャンネルデコーダ標準のＲＳ(255,239)デコーダが、訂正できなかった誤りも、これらの誤り訂正符号は自分のＴＳパケットの誤りを訂正するために使用できる。また、品質の悪い伝送路では、ＴＳパケットのＰＩＤが正しいとは限らないので、ＲＳ(255,239)デコーダは８つ以上の誤りがあったＴＳパケットすべての訂正を試みる。 ＲＳ(255,191)デコーダは、ＭＰＥ−ＦＥＣに対応したＤＶＢＨレシーバでは実装されており、本発明のザッピングストリーム用追加誤り訂正機構のために利用可能である。
【００２２】
なお、１８８バイトのＴＳパケット長は変化なく、ＴＳパケットの中にＲＳ誤り訂正符号を挿入するためＴＳパケットのペイロード長は減少する。
【発明の効果】
【００２３】
本発明によれば、特別な復号モジュールの追加なしに、ザッピングストリームの高速なアクセス・タイムおよびコンパチビリティを保ったまま誤り耐性を向上することができる。
【００２４】
また、バースト受信時、一時的な受信条件悪化により、バーストが失われた場合、受信機では数秒間映像を再生できなくなるが、その後すぐに回復した場合、静止画をザッピングストリームで伝送していることで、次のバースト受信までの間を、ブラックアウトの画面やフリーズした画像でなく、関連する静止画を表示することができる。
【発明を実施するための最良の形態】
【００２５】
以下、本発明の実施の形態を、図面を参照しながら説明する。本発明は、以下の各実施の形態および図面を用いて説明するが、これは例示を目的としており、本発明はこれらに限定されることを意図しない。
【００２６】
（実施の形態１）
地上デジタルビデオ放送（ＤＶＢ−Ｔ）の情報はすべてトランスポートストリーム（ＴＳ）内で伝送される。各トランスポートストリームは、１８８バイトの長さのパケットから成る。
【００２７】
（図１を参照のこと）。これらのパケットは、４バイトのパケットヘッダには、ペイロード、あるいは、アダプテーションフィールドと呼び出される追加のフィールドが続く。アダプテーションフィールドが挿入されるかどうかはＴＳパケットのヘッダーの中で示される。アダプテーションフィールドの挿入に関する利用可能な形式は次の３つである。
１．  アダプテーションフィールドなし(ペイロードのみ)。
２．  アダプテーションフィールドのみ(ペイロードはない)。
３．  アダプテーションフィールドの後にペイロードが後続する。
【００２８】
本発明では、３の「アダプテーションフィールドの後にペイロードが後続する。」形式を使用する。アダプテーションフィールドは可変長で、その長さの情報はフィールドそれ自身内に記述される。したがって、アダプテーションフィールドへの任意の長さのバイト列を挿入可能である。
【００２９】
ザッピングストリーム内で、誤り訂正のためのアダプテーションフィールドの使用やその中でのスタッフィングバイトの使用は、他のサービスに影響を与えない。
【００３０】
これは、すべてのＤＶＢ−ＨサービスのＴＳパケットは、ユニークなＰＩＤが付与されるためである。ＰＩＤはＴＳパケットヘッダ内にある全てのサービス毎にユニークなパケット識別番号で、すべてのＴＳパケットは、そのＴＳパケットヘッダ中にＰＩＤが付けられている（図１を参照のこと）。
【００３１】
アダプテーションフィールドを利用することで他のサービスなどにいかなる影響があってはならないが、アダプテーションフィールドのプライベートデータフィールドの記述は現行ＭＰＥＧ−ＳＹＳＴＥＭＳの仕様にないため、ＤＶＢＨ  ＴＳパケットは、アダプテーションフィールド内で上記のフィールドを使用することによって妨害することはない。
【００３２】
図２は、アダプテーションフィールドの構造と、追加の誤り訂正符号を挿入する位置を示す図である。
【００３３】
アダプテーションフィールド内で、追加の誤り訂正符号を挿入する位置は２箇所利用可能である。１つ目は、アダプテーションフィールドレングスフィールドから間接的に長さがわかる「スタッフィングバイト」フィールドであり、２つ目は、トランスポートプライベートデータレングスフィールドで直接長さの記述が可能な「トランスポートプライベートデータ」フィールドである。
【００３４】
送信装置は、ザッピングストリームを伝送するすべてのＴＳパケットにあらかじめ、トランスポートプライベートデータフィールドに固定長の領域確保用バイトを挿入する。
【００３５】
その領域を確保した完全なＴＳパケットから、たとえばＲＳ（255,191）の短縮化誤り訂正符号を算出し、算出したパリティ符号をアダプテーションフィールド内の領域確保用バイト位置に格納する。
【００３６】
レシーバ側では、格納されたパリティ符号をＴＳ内の一定量以下の誤り訂正に使用する。訂正可能な誤りの量は、使用される誤り訂正符号の量で決まる。
ない、この誤り訂正符号を利用できない受信機はこのバイトを破棄すればよい。
【産業上の利用の可能性】
【００３７】
本発明の誤り訂正方式は、ＤＶＢ−Ｈのザッピングストリームの誤り耐性強化に有用である。
【図面の簡単な説明】
【００３８】
【図１】本発明の第１の実施形態におけるトランスポートパケットの構造を説明する図である。
【図２】本発明の第１の実施形態におけるアダプテーションフィールドの構造およびパリティ符号の挿入位置を示す図である。
【図３】本発明の従来の実施例を説明する図である。
【手続補正３】
【補正対象書類名】図面
【補正対象項目名】全図
【補正方法】変更
【補正の内容】
【図１】
2005067191.tif 000006
【図２】
2005067191.tif 000007
【図３】
2005067191.tif 000008
【国際調査報告】
2005067191.tif 000009
2005067191.tif 000010
2005067191.tif 000011